【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
固定子と、磁性体で構成された回転子コアを備える回転子と、前記回転子に固定されたシャフトとを備えた回転電機において、
前記回転子コアには磁極１極あたり少なくとも１つの空孔が周方向に設けられると共に、前記空孔に対して内周側に配置されたコア領域Ａと、前記空孔に対して外周側に配置されたコア領域Ｂとが設けられ、
前記コア領域Ａと前記コア領域Ｂとは、磁極中心から周方向に離れた第一ブリッジ及び第二ブリッジの少なくとも２本のブリッジにより機械的に連結され、
前記第一ブリッジと前記第二ブリッジの前記コア領域Ａとの接続部間の距離をＬ１とし、前記第一ブリッジと前記第二ブリッジの前記コア領域Ｂとの接続部間の距離をＬ２としたとき、Ｌ２＜Ｌ１の関係を満足し、
磁極中心側であって前記第一ブリッジと前記コア領域Ｂの内周面とでなす角をθ１とし、前記第二ブリッジと前記コア領域Ｂの内周面とでなす角をθ２としたとき、θ１＞９０°、θ２＞９０°の関係を満足し、
前記コア領域Ｂの周方向端部間を結ぶ距離をＬ３としたとき、Ｌ２＜Ｌ３の関係を満足することで、前記第一ブリッジと前記第二ブリッジの前記コア領域Ｂとの接続部の周方向両側に、前記コア領域Ｂが存在することを特徴とする回転電機。
【請求項２】
固定子と、磁性体で構成された回転子コアを備える回転子と、前記回転子に固定されたシャフトとを備えた回転電機において、
前記回転子コアには磁極１極あたり少なくとも１つの磁石挿入孔が周方向に設けられると共に、前記磁石挿入孔に対して内周側に配置されたコア領域Ａと、前記磁石挿入孔に対して外周側に配置されたコア領域Ｂとが設けられ、
前記磁石挿入孔には永久磁石が挿入され、
前記コア領域Ａと前記コア領域Ｂとは、磁極中心から周方向に離れた第一ブリッジ及び第二ブリッジの少なくとも２本のブリッジにより機械的に連結され、
前記第一ブリッジと前記第二ブリッジの前記コア領域Ａとの接続部間の距離をＬ１とし、前記第一ブリッジと前記第二ブリッジの前記コア領域Ｂとの接続部間の距離をＬ２としたとき、Ｌ２＜Ｌ１の関係を満足し、
磁極中心側であって前記第一ブリッジと前記コア領域Ｂの内周面とでなす角をθ１とし、前記第二ブリッジと前記コア領域Ｂの内周面とでなす角をθ２としたとき、θ１＞９０°、θ２＞９０°の関係を満足し、
前記コア領域Ｂの周方向端部間を結ぶ距離をＬ３としたとき、Ｌ２＜Ｌ３の関係を満足することで、前記第一ブリッジと前記第二ブリッジの前記コア領域Ｂとの接続部の周方向両側に、前記コア領域Ｂが存在することを特徴とする回転電機。
【請求項３】
固定子と、磁性体で構成された回転子コアを備える回転子と、前記回転子に固定されたシャフトとを備えた回転電機において、
前記回転子コアには磁極１極あたり少なくとも１つの空孔が周方向に設けられると共に、前記空孔に対して内周側に配置されたコア領域Ａと、前記空孔に対して外周側に配置されたコア領域Ｂとが設けられ、
前記コア領域Ａと前記コア領域Ｂとは、磁極中心から周方向に離れた第一ブリッジ及び第二ブリッジの少なくとも２本のブリッジにより機械的に連結され、
前記第一ブリッジと前記第二ブリッジの前記コア領域Ａとの接続部であって、前記第一ブリッジと前記第二ブリッジの径方向幅を形成する２つの周方向端部のうち、前記空孔を形成する周方向端部とは反対側の周方向端部をそれぞれ結ぶ距離をＬ１とし、前記第一ブリッジと前記第二ブリッジの前記コア領域Ｂとの接続部であって、前記第一ブリッジと前記第二ブリッジの径方向幅を形成する２つの周方向端部のうち、前記空孔を形成する周方向端部とは反対側の周方向端部をそれぞれ結ぶ距離をＬ２としたとき、Ｌ２＜Ｌ１の関係を満足し、
磁極中心側であって前記第一ブリッジと前記コア領域Ｂの内周面とでなす角をθ１とし、前記第二ブリッジと前記コア領域Ｂの内周面とでなす角をθ２としたとき、θ１＞９０°、θ２＞９０°の関係を満足し、
前記コア領域Ｂの周方向端部間を結ぶ距離をＬ３としたとき、Ｌ２＜Ｌ３の関係を満足することを特徴とする回転電機。
【請求項４】
請求項２において、
前記磁石挿入孔の磁極中心にブリッジを設けたことを特徴とする回転電機。
【請求項５】
請求項２または４において、
前記永久磁石は略直方体形状であり、前記永久磁石の短軸が磁極中心線と略平行であることを特徴とする回転電機。
【請求項６】
請求項２、４、５の何れか１項において、
前記コア領域Ａ及び前記コア領域Ｂの最外周面をむすぶ第三ブリッジを有することを特徴とする回転電機。
【請求項７】
請求項１乃至３の何れか１項において、
前記コア領域Ｂを複数設け、隣合う前記コア領域Ｂ同士の間に、径方向の外周側に突出した複数のｑ軸コアを設けたことを特徴とする回転電機。
【請求項８】
請求項１または３において、
前記空孔は、径方向に重なるように複数設けたことを特徴とする回転電機。
【請求項９】
請求項２において、
前記磁石挿入孔は、径方向に重なるように複数設けたことを特徴とする回転電機。
【請求項１０】
請求項７において、
前記コア領域Ｂは、径方向に重なるように複数設けたことを特徴とする回転電機。
【請求項１１】
請求項８乃至１０の何れか１項において、
前記第一ブリッジ及び前記第二ブリッジは、径方向に多段に設けたことを特徴とする回転電機。
【請求項１２】
請求項２において、
前記磁石挿入孔に永久磁石を挿入し、前記永久磁石は複数に分割されていることを特徴とする回転電機。
【請求項１３】
請求項１２において、
前記永久磁石は外周側に向かって開くようにＶ字型もしくはＵ字型に配置されたことを特徴とする回転電機。
【請求項１４】
回転電機と、車輪と、ギアと、台車を備え、前記回転電機は前記ギアを介して前記車輪を駆動する電動機車両において、
前記回転電機は、請求項１乃至１３の何れか１項を備えたことを特徴とする電動機車両。
【手続補正２】
【補正対象書類名】明細書
【補正対象項目名】００１７
【補正方法】変更
【補正の内容】
【００１７】
前記課題を解決するために本発明の特徴とするところは、固定子と、磁性体で構成された回転子コアを備える回転子と、前記回転子に固定されたシャフトとを備えた回転電機において、前記回転子コアには磁極１極あたり少なくとも１つの空孔が周方向に設けられると共に、前記空孔に対して内周側に配置されたコア領域Ａと、前記空孔に対して外周側に配置されたコア領域Ｂとが設けられ、前記コア領域Ａと前記コア領域Ｂとは、磁極中心から周方向に離れた第一ブリッジ及び第二ブリッジの少なくとも２本のブリッジにより機械的に連結され、前記第一ブリッジと前記第二ブリッジの前記コア領域Ａとの接続部間の距離をＬ１とし、前記第一ブリッジと前記第二ブリッジの前記コア領域Ｂとの接続部間の距離をＬ２としたとき、Ｌ２＜Ｌ１の関係を満足し、磁極中心側であって前記第一ブリッジと前記コア領域Ｂの内周面とでなす角をθ１とし、前記第二ブリッジと前記コア領域Ｂの内周面とでなす角をθ２としたとき、θ１＞９０°、θ２＞９０°の関係を満足し、前記コア領域Ｂの周方向端部間を結ぶ距離をＬ３としたとき、Ｌ２＜Ｌ３の関係を満足することで、前記第一ブリッジと前記第二ブリッジの前記コア領域Ｂとの接続部の周方向両側に、前記コア領域Ｂが存在するようにしたことにある。
【手続補正３】
【補正対象書類名】明細書
【補正対象項目名】００１８
【補正方法】変更
【補正の内容】
【００１８】
また、本発明の特徴とするところは、固定子と、磁性体で構成された回転子コアを備える回転子と、前記回転子に固定されたシャフトとを備えた回転電機において、前記回転子コアには磁極１極あたり少なくとも１つの磁石挿入孔が周方向に設けられると共に、前記磁石挿入孔に対して内周側に配置されたコア領域Ａと、前記磁石挿入孔に対して外周側に配置されたコア領域Ｂとが設けられ、前記磁石挿入孔には永久磁石が挿入され、前記コア領域Ａと前記コア領域Ｂとは、磁極中心から周方向に離れた第一ブリッジ及び第二ブリッジの少なくとも２本のブリッジにより機械的に連結され、前記第一ブリッジと前記第二ブリッジの前記コア領域Ａとの接続部間の距離をＬ１とし、前記第一ブリッジと前記第二ブリッジの前記コア領域Ｂとの接続部間の距離をＬ２としたとき、Ｌ２＜Ｌ１の関係を満足し、磁極中心側であって前記第一ブリッジと前記コア領域Ｂの内周面とでなす角をθ１とし、前記第二ブリッジと前記コア領域Ｂの内周面とでなす角をθ２としたとき、θ１＞９０°、θ２＞９０°の関係を満足し、前記コア領域Ｂの周方向端部間を結ぶ距離をＬ３としたとき、Ｌ２＜Ｌ３の関係を満足することで、前記第一ブリッジと前記第二ブリッジの前記コア領域Ｂとの接続部の周方向両側に、前記コア領域Ｂが存在するようにしたことにある。